(57)【要約】【課題】低コストでかつ小型の装置を用いてネットワーク情報網の信頼性を確保する。【解決手段】生通常の作動状態のときは、ネットワークの情報を伝送する光信号は、光バイパスモジュール７、ネットワークエレメント６を介してノード１に伝送される状態になっている。ノード１が停電等の理由によって電源３２からの電力供給が停止して、コンデンサ３１の電力がリレー３０を介して出力ライン３５に供給された場合には、リレー４０はミラー３６を下方に下げ、プリズム３７、３８の間を遮断するように動作する。これによって、光バイパスモジュール７からネットワークエレメント６への光路は遮断され、光信号はミラー３６によって反射され、一つの入力側端子１４から入力した光信号は、光バイパスモジュール７の他のネットワーク側の端子１７を介してネットワーク１０に戻される。【選択図】          図７
2005012677.tif 000002
【特許請求の範囲】
【請求項１】
少なくとも３つ以上のノードと、該各ノード間の情報伝送ラインを形成する光ケーブル伝送ラインとを備えた光ネットワークシステムであって、
前記それぞれのノードに対応して設けられ、該対応するノードが前記情報伝送ラインを介しての情報伝送不能の状態になったことになったことを検出する通信遮断検出手段と、
前記情報伝送ラインが情報伝送可能の状態にあるときには、前記情報伝送ラインのネットワーク側受信端子とノード側受信端子同士及びネットワーク側送信端子とノード側受信送信同士を光通信可能に接続した状態に維持しており、前記通信遮断手段によりノードの情報伝送不能の状態が検出されたとき、前記ネットワーク側の端子とノード側の端子との接続を遮断し、前記情報伝送ラインのネットワーク側受信端子と送信端子とを光通信可能に接続する切替手段とを備えたことを特徴とする光ネットワークシステム。
【請求項２】
少なくとも４つ以上のノードと、それぞれが独立して機能し、かつ情報伝送方向が互い反対方向の第１及び第２の情報伝送ラインを形成することができるように前記各ノードを巡って二重に設けられる光ケーブル伝送ラインとを備えたリング型光ネットワークシステムであって、
前記それぞれのノードに対応して設けられ、該対応するノードが前記何れかの情報伝送ラインを介しての情報伝送不能の状態になったことを検出する通信遮断検出手段と、
前記情報伝送ラインが情報伝送可能の状態にあるときには、第１及び第２の情報伝送ラインのネットワーク側受信端子とノード側受信端子同士及びネットワーク側送信端子とノード側受信送信同士を光通信可能に接続した状態に維持しており、前記通信遮断手段により前記ノードにおいて情報伝送不能の状態が検出されたとき、前記ネットワーク側の端子とノード側の端子との接続を遮断し、前記第１の情報伝送ラインのネットワーク側受信端子と送信端子及び第２の情報伝送ラインのネットワーク側受信端子と送信端子とを光通信可能に接続する切替手段を備えたことを特徴とするリング型光ネットワークシステム。
【請求項３】
前記ノードに対応して設けられ、該ノードの前記情報伝送不能の状態が検出されたとき、ノードの内部に情報を伝送することなく情報を転送する転送手段とを備えていることを特徴とする請求項２に記載のリング型ネットワークシステム。
【請求項４】
少なくとも４つ以上のノードと、それぞれが独立して機能し、かつ情報伝送方向が互い反対方向の第１及び第２の情報伝送ラインを形成することができるように前記各ノードを巡って二重に設けられる光ケーブルラインとを備えたリング型光ネットワークに使用するための光バイパスモジュールであって、
前記ノードの前記ネットワークとの接続部に設けられ、前記２つの情報伝送ラインを構成する第１及び第２の情報伝送ライン用光ケーブルのネットワーク側及びノード側の受信端子及び送信端子を含む少なくとも４つの端子を収容する端子収容部と、
前記ノードが前記何れかの情報伝送ラインを介しての情報伝送不能の状態になったことになったことを検出する通信遮断検出手段と、
前記情報伝送ラインが情報伝送可能の状態にあるときには、第１及び第２の情報伝送ラインのネットワーク側受信端子とノード側受信端子同士及びネットワーク側送信端子とノード側送信端子同士を光通信可能に接続した状態に維持しており、前記通信遮断手段により前記ノードにおいて情報伝送不能の状態が検出されたとき、前記ネットワーク側の端子とノード側の端子との接続を遮断し、前記第１の情報伝送ラインのネットワーク側受信端子と送信端子及び第２の情報伝送ラインのネットワーク側受信端子と送信端子とを光通信可能に接続する切替手段とを備えたことを特徴とする光バイパスモジュール。
【請求項５】
前記通信遮断検出手段が前記ネットワークにおける少なくとも１つの第１の情報伝送ラインにおける中継ノード及び第２情報伝送ラインにおける少なくとも１つのノードが情報伝送不能の状態になったことを検出する検出手段に基づき作用するようになっていることを特徴とする請求項４に記載の光バイパスモジュール。
【発明の詳細な説明】
【０００１】
【発明の属する技術分野】
本発明は、複数のノード間を情報伝送可能に接続した光ネットワークシステムに関する。
【０００２】
【従来の技術】
複数のノードを情報通信可能に接続したネットワークとして複数のノードを光ケーブルを介して直線的に接続しノードを介して情報を順次伝送するリニア型ネットワークが知られている。また、リニア型ネットワーク以外にネットワークの信頼性、安全性を高めるためのさまざまな手法が提案されている。例えば複数のノードを通信ケーブルによってリング状に接続し、かつ、リング状の接続関係を二重にしたものが提案されている。この手法では、ネットワーク上の各々のノードに対してそれぞれのリング状ネットワークに対し反対方向に情報を伝送するようにしている。したがって、このネットワークでは一方の回線が故障した場合でも瞬時に他方の回線に切り替えて情報を伝送することができるので、ネットワークの故障の影響を受けることはない。このようにネットワーク内のノードを二重のリングを形成するように接続することにより、ある特定のノードが通信不能の状態になったとしても他のノートは影響を受けないので信頼性に優れているという利点がある。
【０００３】
しかし、このネットワークに４つ以上のノードがリング状に接続されている場合において、そのうちの情報通信を中継すべき２つのノードが同時にダウンした場合、すなわち情報伝送不能になった場合、他方の回線を使って反対方向から情報伝送をしようとしても、故障した２つのノード間に情報を伝送することはできない。例えば、４つ以上のノードを接続している二重化されたネットワークがあって、ある特定のノードを挟むように配置される各ネットワーク（別のリング）上の少なくとも各１つずつのノードが同時にダウンした場合には目標とするノードに情報を伝送することはできなくなる。
【０００４】
すなわち、上記の２重リング型ネットワークにおいて、双方のリングにおいて中継ノードとして機能するそれぞれ１つづつ以上のノードを含む、全体で２つ以上のノードが同時に情報伝送不能の状態になった場合、たとえば上記のように４つ以上のノードを接続している二重化されたネットワークがあって、ある特定のノードを挟むように配置される各ネットワーク（別のリング）上の少なくとも各１つずつのノードが同時にダウンした場合には、ネットワークが全体として機能しなくなくなるという問題が依然として残るのである。
【０００５】
そして、普通に且つ無数にネットワークが構築される近年の急激な情報化時代にあっては、２重リングネットワークにおいてそれぞれのリングで１つ以上のノードが同時に情報伝送不能の状態に陥ることは日常的に珍しくなくなって来ており、この問題への対処が重大な課題になっている。
【０００６】
また、ノードの停電時あるいはシャットダウン時にノードを使用可能に復帰させるためのものは知られていたが、従来の装置は大がかりなものであり、コスト的にも不利なものであった。
【０００７】
【発明が解決しようとする課題】
本発明は上記の事情に鑑みて構成されるもので、少なくとも３つ以上のノードが情報通信可能に組み込まれた光ネットワークにおいて、その内の少なくとも１つのノードが故障あるいは事情によってネットワーク内で情報伝送不能の状態に陥った場合であってもネットワーク内の情報伝送機能に支障がないような状態を迅速かつ確実にしかも、簡単な構成で復帰できるようにすることを目的としている。
【０００８】
そして、本発明ではノードに支障がある場合には、ノード自体を復帰させるようにするのではなく、ノードをバイパスしてネットワーク全体の情報網の機能を優先させることに着目し、低コストでかつ小型の装置を用いてネットワーク情報網の信頼性を確保することを目的としている。
【０００９】
【課題を解決するための手段】
上記課題を解決するために本発明にかかるネットワークシステムは、少なくとも３つ以上のノードと、該各ノード間の情報伝送ラインを形成する光ケーブル伝送ラインとを備えた光ネットワークシステムであって、
前記それぞれのノードに対応して設けられ、該対応するノードが前記情報伝送ラインを介しての情報伝送不能の状態になったことになったことを検出する通信遮断検出手段と、
前記情報伝送ラインが情報伝送可能の状態にあるときには、前記情報伝送ラインのネットワーク側受信端子とノード側受信端子同士及びネットワーク側送信端子とノード側受信送信同士を光通信可能に接続した状態に維持しており、前記通信遮断手段によりノードの情報伝送不能の状態が検出されたとき、前記ネットワーク側の端子とノード側の端子との接続を遮断し、前記情報伝送ラインのネットワーク側受信端子と送信端子とを光通信可能に接続する切替手段とを備えたことを特徴とする。
【００１０】
本発明の別の特徴によれば、ネットワークシステムは、少なくとも４つ以上のノードと、それぞれが独立して機能し、かつ情報伝送方向が互い反対方向の第１及び第２の情報伝送ラインを形成することができるように前記各ノードを巡って二重に設けられる光ケーブル伝送ラインとを備えたリング型光ネットワークシステムであって、
前記それぞれのノードに対応して設けられ、該対応するノードが前記何れかの情報伝送ラインを介しての情報伝送不能の状態になったことになったことを検出する通信遮断検出手段と、
前記情報伝送ラインが情報伝送可能の状態にあるときには、第１及び第２の情報伝送ラインのネットワーク側受信端子とノード側受信端子同士及びネットワーク側送信端子とノード側受信送信同士を光通信可能に接続した状態に維持しており、前記通信遮断手段により前記ノードにおいて情報伝送不能の状態が検出されたとき、前記ネットワーク側の端子とノード側の端子との接続を遮断し、前記第１の情報伝送ラインのネットワーク側受信端子と送信端子及び第２の情報伝送ラインのネットワーク側受信端子と送信端子とを光通信可能に接続する切替手段とを備えたことを特徴とする。
【００１１】
好ましい態様では、上記システムは、ノードに対応して設けられ、該ノードの前記情報伝送不能の状態が検出されたとき、ノードの内部に情報を伝送することなく情報を転送する転送手段を備えている。
【００１２】
本発明の別の特徴によれば、少なくとも４つ以上のノードと、それぞれが独立して機能し、かつ情報伝送方向が互い反対方向の第１及び第２の情報伝送ラインを形成することができるように前記各ノードを巡って二重に設けられる光ケーブルラインとを備えたリング型光ネットワークに使用するための光バイパスモジュールであって、前記ノードの前記ネットワークとの接続部に設けられ、前記２つの情報伝送ラインを構成する第１及び第２の情報伝送ライン用光ケーブルのネットワーク側及びノード側の受信端子及び送信端子を含む少なくとも４つの端子を収容する端子収容部と、
前記ノードが前記何れかの情報伝送ラインを介しての情報伝送不能の状態になったことになったことを検出する通信遮断検出手段と、
前記情報伝送ラインが情報伝送可能の状態にあるときには、第１及び第２の情報伝送ラインのネットワーク側受信端子とノード側受信端子同士及びネットワーク側送信端子とノード側送信端子同士を光通信可能に接続した状態に維持しており、前記通信遮断手段により前記ノードにおいて情報伝送不能の状態が検出されたとき、前記ネットワーク側の端子とノード側の端子との接続を遮断し、前記第１の情報伝送ラインのネットワーク側受信端子と送信端子及び第２の情報伝送ラインのネットワーク側受信端子と送信端子とを光通信可能に接続する切替手段とを備えたことを特徴とする光バイパスモジュールが提供される。
【００１３】
上記光バイパスモジュールにおいては、前記通信遮断検出手段が前記ネットワークにおける少なくとも１つの第１の情報伝送ラインにおける中継ノード及び第２情報伝送ラインにおける少なくとも１つのノードが情報伝送不能の状態になったこと検出するようになっている。この場合には、光バイパスモジュール内に第１及び第２の情報伝送ラインにおいてそれそれ１つ以上のノードが情報伝送不能の状態になっていることを検出するようになっている。この場合、ネットワークの状態は、ネットワークにおけるノードの状態を示す情報も含めて、常時ネットワーク全体で制御かつ把握されている。
【００１４】
さらに本発明の別の特徴によれば、リング型ネットワーク用の光バイパスモジュールは、少なくとも４つ以上のノードと、それぞれが独立して機能し、かつ情報伝送方向が互い反対方向の第１及び第２の情報伝送ラインを形成することができるように前記各ノードを巡って二重に設けられる光ケーブルとを備えたリング型光ネットワークに使用するための光バイパスモジュールであって、
前記ノードの前記ネットワークとの接続部に設けられ、前記２つの情報伝送ラインを構成する第１及び第２の情報伝送ライン用光ケーブルのネットワーク側及びノード側の受信端子及び送信端子を含む少なくとも４つの端子を収容する端子収容部と、
前記ノードが前記何れかの情報伝送ラインを介しての情報伝送不能の状態になったことになったことを検出する通信遮断検出手段と、
前記情報伝送ラインが情報伝送可能の状態にあるときには、第１及び第２の情報伝送ラインのネットワーク側受信端子とノード側受信端子同士、ネットワーク側送信端子とノード側送信端子同士を光通信可能に接続した状態に維持しており、前記通信遮断手段により前記ネットワーク内の少なくとも２つ以上の前記ノードにおいて情報伝送不能の状態が検出検出手段とを備え、該検出手段の作用に基づき、前記ネットワーク側の端子とノード側の端子との接続を遮断し、前記第１の情報伝送ラインのネットワーク側受信端子と送信端子及び第２の情報伝送ラインのネットワーク側受信端子と送信端子とを光通信可能に接続する切替手段とを備えたことを特徴とする。
ここでノードはネットワークを通じて伝送される情報を送受信する機能を有する様々な伝送装置又は通信装置の集合体を意味し、通信サービスを提供又は享受するためのビル、特定のフロアー等の施設、又は通信装置そのものの集合体を含むものとする。
【００１５】
【発明の実施の形態】
以下本発明の実施の形態について図面を参照しつつ説明する。
図１には、本発明の１実施例にかかる二重リング型ネットワークシステム１０の１例が示されている。本例のネットワーク１０は、単一又は複数のユーザーが情報を入手して活用するための４つの第１ないし第４ノード１、２、３及び４を備えている。４つのノードは光ケーブル５を介して互いに結合されて光通信ネットワークを構成している。本例では、各ノードはそれぞれ２本の光ケーブル５で結合されており、二重のリングネットワークを形成している。
【００１６】
それぞれのノード１、２、３、及び４にはネットワーク側に、ノード内の伝送装置としてのネットワークエレメント６と光バイパスモジュール７とを備えており、それぞれ該ネットワークエレメント６と光バイパスモジュール７介して光ケーブル５に接続されている。ネットワークエレメント６は、関係するノード１、２、３または４への情報かどうかを判断し、関係するものであってノード１、２、３、または４が受信すべきであると判断した情報はノード１、２、３、または４に取り込み、当該ノードに無関係の情報はパスする役割を果たす。また、光バイパスモジュール７は、当該ノード１、２、３または４が情報の受信不能の状態になっているとき、ノード１、２、３または４にすべての情報にかかる光信号光を光バイパスモジュール７内で他のノードにバイパスさせる機能を有する。なお、ノード１、２、３および４におけるネットワークエレメント６及び光バイパスモジュール７はすべて同一の構成である。
【００１７】
図２に第１ノード１に設けられるネットワークエレメント６と光バイパスモジュール７とが示されている。図２において、ネットワークエレメント６は一対の受信端子Ｒｘと一対の送信端子Ｔｘとを有している。これらはノードに接続されている。そして４つの端子はすべてノード１に接続されている。したがって、本例のネットワークエレメント６には２つの情報伝達ラインが接続されていることになる。また、ネットワークエレメント６と図示されていないノード１内の通信機器等との間の接続関係は以下のようになっている。すなわち、ネットワークエレメント６の送信端子Ｔｘ及び受信端子Ｒｘはそれぞれノード１内の図示されていない通信機器等と接続されるライン８、９、１０、及び１１とノード１内の図示されていない通信機器等をパイパスして他の対の端子とを連絡するバイパスライン１２、１３とに接続されている。
【００１８】
そして、ネットワークエレメント６は、ノード１に関係する情報についてはノード１に伝送し、ノード１に関係しないノード２、３、４への情報は、ノード１内に取り入れられることなくスルーさせるようになっている。
【００１９】
この切り分けは、当該ノード１にアドレスされた情報とそうでないアドレスを有する情報であるか見極めることによって行うことができる。
【００２０】
この所定のノード１、２、３または４に宛てられた情報とそうでない情報とを選別し、当該ノード１に関係のある情報だけをノード１に指向せしめる手法については、一般的に行われている任意の手法を用いることができ、本発明の特徴を構成するものではない。
【００２１】
光バイパスモジュール７は示すようにネットワーク側ケーブル５が接続される４つのネットワーク側の端子すなわちポート１４、１５、１６及び１７と、これに対応して配設されるノード側の第ないし第端子１８、１９、２０、及び２１とを備えている。そしてこれらの端子１８、１９、２０、及び２１はそれぞれネットワークエレメント６への接続ケーブル２２に接続されている。このそれぞれのノード側端子１８、１９、２０、及び２１は光ケーブル２２を介して、ネットワークエレメント６の４つの端子あるいはポート２３、２４、２５及び２６に接続されている。
【００２２】
本例では、図３に示すように光バイパスモジュール７の端子１８ないし２１とネットワークエレメント６の端子２３ないし２６とはそれぞれクロスした関係で接続されている。
【００２３】
光バイパスモジュール７は上記のようにネットワーク側の４つの端子１４ないし１７とネットワークエレメント側に接続されている４つの端子１８ないし２１を備えている。そして、光バイパスモジュール７は、ノード１が通常の作動状態にあるときには、ネットワークエレメント６に対してすべての情報を伝送する。
【００２４】
しかし、図４及び図５に示すように、ノード１が、例えば停電、あるいは事故等によって正常に動作していないと判明した場合、あるいは、その他の事情によってノード１に情報を提供することが好ましくないと判断されるときには、光バイパスモジュール７は、ネットワークエレメント６に情報を伝送するのを中止し、内部でバイパス経路２７及び２８を確立し、情報をネットワークエレメント６側の端子に誘導することなく、光バイパスモジュール７の端子に対して情報にかかる光信号をそのまま伝送するように光伝送経路を切り替える。
【００２５】
図６及び図７を参照して、この経路の切替について説明する。
図６に示すように、本例の光バイパスモジュール７は、光スイッチ２９、この光スイッチにおける光路の切替制御を行うためのリレー３０、さらに停電時においてもこのリレー３０の動作用の電源を保持するためのコンデンサ３１を備えている。コンデンサ３１は外部の直流発生電源すなわち直流変換器３２に接続されている。直流発生電源３２は、ＡＣ１００Ｖの商用電源３３に接続されている。
【００２６】
直流発生電源３２からの電力は、コンデンサ３１及びリレー３０に並列に接続されており、通常時においては、リレー３０への電力は電源３２からコモン端子を介してコイル４１に入力される。電源３２からの電力供給が停電等の理由により停止し、ノード１の機能も停止する状態になった場合には、リレー３０のコイル４１への電源供給がなくなり、これによってリレー３０は出力ラインをライン３４からライン３５に切り替える。そして、コンデンサ３１からのライン３５介して電力が光スイッチ２９に導入される。この場合、リレー３０がコモン端子からコイル４１に電力が入力されている場合には、すなわち通常の状態ではリレー３０の出力は、ライン３４を介して光スイッチ２９に入力され、電源３２が停電等によって電力供給を停止すると、リレー３０は、ライン３５を介して光スイッイチに電力を供給する。図７には、光スイッチ２９の動作原理を示す概略図が示されており、本例の光スイッチ２９は、光路を切り替えるためのミラー３６と、該ミラー３６を出し入れ可能な隙間を有し、ネットワーク側の送信端子と受信端子、並びにノード側の送信端子と受信端子のそれぞれ２つの光路を一点に集中させるためのレンズ３７、３８を備えている。さらに光スイッチ２９は、ミラー３６の一端を保持する保持部材３９を介してミラー３６を上記隙間に出し入れ可能に制御するためのリレー４０を備えている。さらにリレー４０はセットコイル４２とリセットコイル４３との二つのコイルを備えたラッチリレーである。このミラー動作用のリレー４０のセットコイル４２及びリセットコイル４３には、上記光スイッチ切替用リレー３０の出力ライン３４及び３５がそれぞれ接続されている。
【００２７】
すなわち、リレー３０の出力ライン３４は、リレー４０のセットコイル４２に接続されており、リレー３０の出力ライン３５は、リレー４０のリセットコイル４３に接続されている。光スイッチ２９のリレー４０のセットコイル４２に電力が供給されるときには、ミラー３６は図において上昇した位置にあり、光路は、光スイッチ２９を介してネットワーク側からノード側に延長されている。すなわち、通常の作動状態のときは、ネットワークの情報を伝送する光信号は、光バイパスモジュール７、ネットワークエレメント６を介してノード１に伝送される状態になっている。
【００２８】
これに対し、リレー３０の出力ライン３５からリレー４０のリセットコイル４３に電力が供給されると、すなわちノード１が停電等の理由によって電源３２からの電力供給が停止して、コンデンサ３１の電力がリレー３０を介して出力ライン３５に供給された場合には、リレー４０はミラー３６を下方に下げるように動作して図示のようにレンズ３７、３８の間を遮断するように動作する。これによって、光バイパスモジュール７からネットワークエレメント６への光路は遮断され、光信号はミラー３６によって反射され、一つの入力側端子１４から入力した光信号は、光バイパスモジュール７の他のネットワーク側の端子１７を介してネットワーク１０に戻される。この場合には、ネットワーク情報にかかる光信号がノード１側に伝送されることはない。以上述べた手順で、ノード１の停電時等における光バイパスモジュール７のパイパス経路２７、２８への切替動作が行われる。
【００２９】
このように、ノード１の停電時等において電源３２からの電力供給が停止になった場合には、ネットワーク側の端子とノード側すなわちネットワークエレメント側の端子との間の光路にミラー３６を挿入し、ネットワーク側第１端子と第２端子と、第３端子と第４端子とを光路的に連結してバイパス経路２７及び２８を形成する。尚、この切替は、機械的に行うものでもよい。
【００３０】
また、ノードが通常の動作状態でなくなったことを検出する手段は例えばノードへの電力供給が遮断されたことを検出することによって、通常の動作状態を脱したことを検出するようにしてもよい。
【００３１】
本発明の動作に説明する。
図１において、通常の作動状態においては、情報は本例のネットワークを構成する４つのノードのいずれも、情報を送信し、受信する。
【００３２】
いま、第１ノード１から第２ノード２へ宛てた情報をネットワークを介して送信する場合及び第２ノード２から第１ノード１に宛てた情報をネットワークを介して送信する場合の双方向通信の場合を例にとる。この場合、第３ノード３及び第４ノード４は第１及び第２ノード間の情報にかかる光信号を単に転送する機能だけを有する。
【００３３】
まず、第１ノード１から所定の情報を搬送する光信号が第２ノード２に向けて発信される。該光信号は、まず光ケーブル５を介して第３ノード３に伝送される。第３ノード３においては本例においては当該情報にかかる光信号は、第２ノード２に宛てられており、第３ノード３にはアドレスされていないので第３ノード３をすべての情報を介して第２ノード２に転送する。この転送に際し、第３ノード３では光信号は、まず、光バイパスモジュール７を経由してネットワークエレメント６に伝送される。ネットワークエレメント６において、当該情報は、第３ノード３にあてたアドレスを有しないので、第３ノード３のネットワークエレメント６は第１受信端子Ｒｘの光信号を第１送信端子Ｔｘに指向させ、第１送信端子Ｔｘは、該光信号を光バイパスモジュール７のノード側端子及びネットワーク側端子を介して、光ケーブル５２に送出され、第２ノード２に送られる。第２ノード２においては、同様に光バイパスモジュール７からネットワークエレメント６に送られる。このネットワークエレメント６において、当該情報は、第２ノード２に宛てられているので、ネットワークエレメント６の受信端子Ｒｘは、当該情報に係る光信号のノード内部に向かって送出する。ノード内部に置いてその情報は、所定の処理をされるにようになっている。
【００３４】
一方、第２ノード２からの第１ノード１に向けた情報は上記とは反対のルートを通ってかつ第３ノード３において、上記と同様の処理を受けて第１ノード１に到達し、第１ノード１内に取り込まれて所定の処理がなされる。
【００３５】
本例のネットワーク１０は二重リング型ネットワークであるので、仮に第３ノード３がダウンすなわち、ネットワーク１０における転送機能を喪失した場合には、第１ノード１と第２ノード２の交信は、第３ノード３の代わりを第４ノード４が果たすことによって支障なく行うことができる。この場合、第４ノード４のネットワークエレメント６が転送機能を果たすことになる。
【００３６】
しかし、第３ノード３と第４ノード４の両方がダウンした場合には、第３ノード３または第３ノード３のネットワークエレメント６は機能しなくなるので、これを介しての第１ノード１と第２ノード２の間の通信は、不可能になる。この場合、ネットワークの状態は、ネットワークにおけるノードの状態を示す情報も含めて、常時ネットワーク全体で制御かつ把握されている。
【００３７】
本発明の場合、このような場合には、第３ノード３における光バイパスモジュール７が、第３ノード３の上記のような作動不能状態を検知し、その様な場合には、自動的に光バイパスモジュール７内において、上記ネットワークエレメント６において動作していた転送機能を行う。第１の情報伝送ライン及び第２の情報伝送ラインのいずれかが、情報伝送不能の状態になったことがネットワーク内で検出されたときには、この情報は全ての直接的または間接的にノードに通知される。したがって他方の情報伝送ラインの何れかのノードが情報伝送不能の状態になった場合には、そのノードの光バイパスモジュール７が自動的にバイパス経路に切り替えるように動作させることもできる。このような情報に基づいてバイパス経路を切り替えることはソフト的に構成することができ、ノードからの情報を直接光バイパスモジュール７に入力することによって上記切替動作を生じさせればよい。たとえば、このような他のいずれかのノードの転送不能状態が検出されたことをアンド回路を介して上記リレー４１に入力することにより、当該ノードが停電等によって、情報伝送機能を喪失し、且つ他の独立した情報伝送ラインのノードが同様に情報伝送不能の状態に陥った場合に、光バイパスモジュール７が動作して、情報伝送ラインのバイパス光路を確立することができる。
【００３８】
このようにすれば、それぞれのノードが光バイパスモジュール７を具備する必要がなくなる。
【００３９】
本例では第３ノード３が全体として電源供給が停止された状態になっており、この結果、第３ノード３のネットワークエレメント６も動作不能になっている。この場合には、本例においては、光バイパスモジュール７は、ネットワーク側の端子を互いに直結するように光路を自動的に切り替える。本例においては、光バイパスモジュール７のネットワーク側の端子とノード側の端子と接続間系を遮断し、ネットワーク側端子同士を光路的に結合する。すなわち、ネットワーク側端子と端子を、光路的に結合する。これによって、第１ノード１と第２ノード２間の光通信は第３ノード３のダウンすなわち不作動状態の影響を受けることなく、第３ノード３に付随して設置された、光バイパスモジュール７を介して支障なく行うことができる。
【００４０】
上記の例では、第１ノード１と第２ノード２の間の通信を例に取って説明したが、ネットワーク１０における何れのノード間における通信において２重リングネットワーク１０のいずれのリングの中継ノードが遮断した場合であっても当該ノードの中継機能を喪失させることなくネットワークにおける正常な通信を維持することができる。
【００４１】
なお、上記の例では４つのノードを備えた２重リングネットワークを例に説明したが、さらに多くのノードを備えるネットワークについても本発明を同様に適用できる。
【００４２】
上記の光バイパスモジュールは、単にノード側への光路とネットワーク側への光路との切替機構を組み込んだだけであるので、極めて単純な構造とすることができ、したがって部品点数も少なくすることができ、コスト的にも有利である。また小型化を達成することも容易である。
【００４３】
【発明の効果】
以上説明したように、本発明によれば、ネットワークにおいて中継ノードがそれぞれ通信不能の状態に陥ったとしても、ネットワーク全体の通信機能を損なわずに通信することができる。本発明にかかる光バイパスモジュールは光学装置として上記のように単純な機能を持たせるだけで、ネットワーク全体の信頼性を高める重要な機能を果たすことができるものである。
【図面の簡単な説明】
【図１】本発明の好ましい実施例にかかる形態における二重リング型光ネットワークシステムの全体図である。
【図２】通常時における光バイパスモジュールとネットワークエレメントとの接続状態を示す概略図である。
【図３】図２において光路の接続関係を示す説明図である。
【図４】停電時における光バイパスモジュールとネットワークエレメントとの接続状態を示す概略図である。
【図５】停電時における図３と同様の図である。
【図６】光バイパスモジュールのブロック図である。
【図７】光スイッチの概略構成図である。
【符号の説明】
１０  二重リング型光ネットワーク
１〜４  ノード
５  光ケーブル
６  ネットワークエレメント
７  光バイパスモジュール
【図１】
2005012677.tif 000003
【図２】
2005012677.tif 000004
【図３】
2005012677.tif 000005
【図４】
2005012677.tif 000006
【図５】
2005012677.tif 000007
【図６】
2005012677.tif 000008
【図７】
2005012677.tif 000009